(57)【要約】  郵便物を配達ポイント順に仕分けする、ツーパス郵便物仕分け方法である。一実施形態において、この方法は、一時的もしくは永続的に保留状態である配達ポイントから構成される配達ポイントグループを形成するステップを含む。他の実施形態において、この方法は、第１パス郵便物仕分けを行ったあとにのみ集中郵便物を処理するステップを含む。また他の実施形態において、この方法は、Ｎのアウトプットから構成される郵便物仕分けシステムを、Ｎ／Ｘのアウトプットを有するＸの仮想郵便物仕分けシステムに分割することを含む。
2007511366.tif 000002
【特許請求の範囲】
【請求項１】
第１アウトプット、第２アウトプットおよび第３アウトプットを備える郵便物仕分けシステムを用いて郵便物の束を配達ポイント順に仕分けする方法であって、
第１パス仕分けプランを作成し、前記第１パス仕分けプランは、第１配達経路上の第１配達ポイントおよび第２配達経路上の第１配達ポイントから構成される第１配達ポイントグループと、第１配達経路上の第２配達ポイントおよび第２配達経路上の第２配達ポイントから構成される第２配達ポイントグループと、前記第１および第２配達経路上の保留状態の配達ポイントから構成される第３配達ポイントグループとを特定し、
第２パス仕分けプランを作成し、前記第２パス仕分けプランは前記第１配達経路上の前記第１および第２配達ポイントを前記第１アウトプットに割り当て、前記第２配達経路上の前記第１および第２配達ポイントを前記第２アウトプットに割り当て、
前記郵便物の束を前記郵便物仕分けシステムに送り、
前記第１、第２、第３アウトプットを用いて、前記第１パス仕分けプランにしたがって前記郵便物の束を仕分けし、（１）前記第１配達経路上の前記第１配達ポイントおよび前記第２配達経路上の前記第１配達ポイントに宛てられた郵便物から構成される第１の郵便物の束と、（２）前記第１配達経路上の前記第２配達ポイントおよび前記第２配達経路上の前記第２配達ポイントに宛てられた郵便物から構成される第２の郵便物の束と、（３）保留状態の配達ポイントに宛てられた郵便物から構成される第３の郵便物の束とを形成し、
前記第１の郵便物の束を前記郵便物仕分けシステムに送り、
前記第２パス仕分けプランにしたがって前記第１の郵便物の束を仕分けし、
前記第１の郵便物の束を仕分けしたあと、１以上の集中郵便物を前記郵便物仕分けマシンに送ることを含む方法。
【請求項２】
前記１以上の集中郵便物を前記郵便物仕分けマシンに送ったあとに、前記第２の郵便物の束を前記郵便物仕分けシステムに送り、
前記第２パス仕分けプランにしたがって前記第２の郵便物の束を仕分けすることをさらに含む請求項１に記載の方法。
【請求項３】
前記第１パス仕分けプランにしたがって前記郵便物の束を仕分けする前に、前記第１配達ポイントグループを前記第１アウトプットに割り当てるステップをさらに含む請求項１に記載の方法。
【請求項４】
前記郵便物の束を前記郵便物仕分けシステムに送るステップは、前記束からの前記郵便物のうちいくらかを第１インプットフィーダーを用いて前記システムに送るステップと、前記束からの前記郵便物のうちいくらかを前記第２インプットフィーダーを用いてシステムに送るステップとを含む、請求項１に記載の方法。
【請求項５】
前記第１の郵便物の束を前記郵便物仕分けシステムに送るステップは、前記第１の束からの前記郵便物のうちいくらかを第１インプットフィーダーを用いて前記システムに送り、前記束からの前記郵便物のうちいくらかを前記第２インプットフィーダーを用いてシステムに送るステップを含む請求項１に記載の方法。
【請求項６】
前記第１の郵便物の束を郵便物仕分けシステムに送るステップは、前記第１の束からの全ての前記郵便物を第１インプットフィーダーを用いてシステムに送るステップを含む請求項１に記載の方法。
【請求項７】
保留状態の配達ポイントに宛てられた郵便物から構成される前記第３の郵便物の束は、前記第１および第２の束を処理したあとに処理される請求項１に記載の方法。
【請求項８】
前記第３の郵便物の束は、宛先の判断できない郵便物をさらに含む請求項１に記載の方法。
【請求項９】
複数の郵便物を仕分けシステムにインプットし、
前記複数の郵便物を、少なくとも（１）（ａ）第１配達経路上の第１配達ポイントに宛てられた郵便物と（ｂ）第２配達経路上の第１配達ポイントに宛てられた郵便物とから構成される第１の郵便物の束と、（２）保留状態の配達ポイントに宛てられた郵便物から構成される第２の郵便物の束とに仕分けするよう、前記仕分けシステムを設定し、
前記複数の郵便物の全てを前記仕分けシステムにインプットしたあとに、前記第１の郵便物の束を前記仕分けシステムにインプットし、
前記複数の郵便物の全てを前記仕分けシステムにインプットしたあとに、集中郵便物の束を仕分けシステムにインプットし、
それぞれが同一の配達経路上の配達ポイントに宛てられた複数の郵便物から構成される、少なくとも第３の郵便物の束を作成するよう、前記仕分けシステムを設定することを含む、複数の郵便物を仕分けするツーパス仕分け方法。
【請求項１０】
第１パスでは、郵便物の束を仕分けシステムにインプットし、仕分けシステムは郵便物のＮ個の副束を作成するよう設定され、前記郵便物のＮ個の副束の少なくとも１つは保留状態におかれた配達ポイントに宛てられた束からの郵便物を含み、
第２パスでは、保留状態におかれた配達ポイントに宛てられた郵便物から構成される副束もしくは複数の副束をのぞく、前記郵便物のＮ個の副束の全てを前記仕分けシステムにインプットし、
前記第２パスでは、集中郵便物の束を仕分けシステムにインプットすることを含む、ツーパス郵便物仕分け方法。
【発明の詳細な説明】
【技術分野】
【０００１】
発明の分野
本発明は、郵便物を仕分けするシステムおよび方法に関する。
【背景技術】
【０００２】
背景の検討
米国郵政公社（ＵＳＰＳ）は、大量のフラット郵便物の差出人に、多数の形式および順序で郵便物を準備することを許可している。フラット郵便物は通常、大きな封筒と、通常１５×１２インチ以下の大きさで通常１．２５インチ以下の薄さの雑誌およびその他の定期刊行物の郵便物とから構成される。
【０００３】
通常、フラット郵便物（もしくは「フラット」）は束で準備される。束は、同一の配達経路もしくは区域に向かうことになっているフラットが一緒に処理されるよう、作成される。
【０００４】
フラットの束を準備するのに差出人が用いることのできる、多数の準備スキームがあり、スキームのそれぞれは、付随する郵送コストを有する。次は、フラットの束を準備するのに差出人が用いることのできる、多様なスキームのいくつかの実施例である。第１実施例のスキームは、「３桁」と呼ばれるものである。３桁スキームにおいて、束の中の全ての郵便物は、所与の３桁の郵便区内（郵便番号の最初の３桁、つまり２１０××のことをいう）の配達ポイントに宛てられる。束の中の郵便物は、区内の多数の設備および配達経路に配送される。
【０００５】
第２実施例のスキームは、「５桁」と呼ばれるものである。５桁スキームにおいて、束内の全ての郵便物は、５桁区に宛てられる。第３実施例のスキームは、「配達経路」と呼ばれるものである。配達経路スキームにおいて、束は所与の５桁区内の特定の配達者の郵便物のみを含む。最後の実施例のスキームは、「歩行軌跡（ＬＯＴ）および／もしくは配達者順（ＣＳ）」と呼ばれるものである。ＬＯＴ／ＣＳスキームにおいて、束は、束内の郵便物が区内の特定の配達者に対して順番に並べられるよう準備された。ＬＯＴ郵便は、配達者が実際に郵便物を配達するのに似て、通りの住所に対して昇順もしくは降順のどちらかで郵便物を含む。配達者順郵便は、配達者が郵便物を配達するそのままの順番に準備される。
【０００６】
上記のスキームのそれぞれは、ＵＳＰＳによって別に処理され、付随する処理コストを有する。３桁郵便は通常、３桁区を受け持つ処理センターに到着するまで、郵便局設備を介して束としてクロスドックされる。そして束は開封され、５桁レベルに処理され、５桁区を受け持つ郵便局に配送される。
【０００７】
５桁束は、５桁区を受け持つ処理センターまでずっとクロスドックされる。処理センターの操作に応じて、束は、その郵便物を配達する地元の郵便局に配達されるか、または配達者レベルまで処理されるであろう（配達者が郵便物を分ける必要がないように、郵便物を配達オフィス内で配達者に分ける）。配達経路、ＬＯＴ、および配達者順の郵便は全て、郵便物を配達する地元の郵便局まで直接クロスドックされる。
【０００８】
全ての場合において、地元の配達者は彼の経路のフラットを「箱に入れ」、配達の準備をする。つまり、配達者がその日のフラットを受け取ると、彼らはそれらを「配達ポイント順」もしくは「配達者徒歩順」と呼ばれるものに仕分けする。
【０００９】
より具体的には、一連の郵便物を箱に入れることは、一連の郵便物のそれぞれを、マトリクス状の小棚の中の適切な小棚に配置する処理のことをいう。マトリクス状の小棚のそれぞれは、配達者の経路の１つの配達ポイントに対応する。したがって、郵便物のそれぞれを対応する小棚に配置し、配達者が彼の郵便経路を行き来する順番に郵便物をそこから取ることで、配達者は、配達者徒歩順の郵便物の束を作成することができる。したがって、箱に入れる操作の結果として、配達者の経路内のそれぞれの住所もしくは配達ポイントに対する全ての郵便物は、配達ポイント順に一緒にスタックされる。したがって、配達者が彼／彼女の経路の特定の配達ポイントに到着した時、配達者はただ、彼／彼女の郵便物の束の「上」から、特定の配達ポイントに宛てられた郵便物を取ればよい。
【発明の開示】
【発明が解決しようとする課題】
【００１０】
「箱に入れる」ことは手動の処理であるため、時間を消費し、間違えやすい傾向がある。したがって、配達者に、配達者の経路の全てのフラットの束を配達ポイント順に提供することで、この箱に入れる操作を除去することが望ましい。
【００１１】
発明の概要
本発明は、郵便物を配達ポイント順に仕分けする、郵便物仕分けシステムおよび方法を提供する。
【課題を解決するための手段】
【００１２】
一態様において、本発明は、郵便物を配達ポイント順に仕分けするツーパス郵便物仕分け方法を提供する。方法は、（ａ）第１パス仕分けプランを作成するステップと、第１パス仕分けプランは、第１配達経路上の第１配達ポイントおよび第２配達経路上の第１配達ポイントから構成される第１配達ポイントグループと、第１配達経路上の第２配達ポイントおよび第２配達経路上の第２配達ポイントから構成される第２配達ポイントグループと、第１および第２配達経路上の保留状態の配達ポイントから構成される第３配達ポイントグループとを特定し；郵便物の束を、第１、第２、第３のアウトプットを有する郵便物仕分けシステムに送るステップと；第１、第２、第３のアウトプットを用いて、第１パス仕分けプランにしたがって郵便物の束を仕分けし、それにより（１）第１配達経路上の第１配達ポイントおよび第２配達経路上の第１配達ポイントに宛てられた郵便物から構成される第１の郵便物の束と、（２）第１配達経路上の第２配達ポイントおよび第２配達経路上の第２配達ポイントに宛てられた郵便物から構成される第２の郵便物の束と、（３）保留状態の配達ポイントに宛てられた郵便物から構成される第３の郵便物の束とを形成するステップとを含む。保留状態にある配達ポイントに宛てられた郵便物から構成される郵便物の束を作成することにより、本発明は、保留状態にある郵便物を、その他の郵便物から分離する。有利には、郵便物は保留状態にあるため、第２パス仕分けプランにしたがって仕分けされる必要がない。したがって、本発明の本実施形態により、処理量の増加が達成される。
【００１３】
他の態様において、本発明は、郵便物を配達ポイント順に仕分けするツーパス郵便物仕分け方法を提供し、方法は、第１パス仕分けプランを作成することにより、郵便物仕分けシステムを少なくとも２つの「仮想」郵便物仕分けシステムに分割するステップを含み、第１パス仕分けプランは、第１配達経路上の第１配達ポイントおよび第２配達経路上の第１配達ポイントから構成される第１配達ポイントグループと、第１配達経路上の第２配達ポイントおよび第２配達経路上の第２配達ポイントから構成される第２配達ポイントグループと、第３配達経路上の第１配達ポイントおよび第４配達経路上の第１配達ポイントから構成される第３配達ポイントグループと、第３配達経路上の第２配達ポイントおよび第４配達経路上の第２配達ポイントから構成される第４配達ポイントグループとを特定する
。このように郵便物仕分けシステムを分割することにより、効率性が達成される。
【００１４】
本発明の好適な実施形態の構造および操作と同じく、本発明の上記およびその他の特徴、有利な点は、添付の図面を参照して以下に詳細に説明される。
【発明を実施するための最良の形態】
【００１５】
好適な実施形態の詳細な説明
ここに含まれ明細書の一部を形成する添付の図面は、本発明の多様な実施形態を説明し、また説明と共にさらに、発明の理念を説明し、当業者が発明を作り用いることを可能とする働きをする。図面において、類似の参照番号は、同一もしくは機能的に同様な要素を示す。また、参照番号の左端の桁は、その参照番号が最初に表された図面を特定する。
【００１６】
説明の目的で、また明瞭さのために、本発明の実施の形態は、２つのインプットフィーダー１０１（１）、１０１（２）および１５のアウトプット１０２（１）から１０２（１５）を有する郵便物仕分けシステム１００（図１参照）に関して説明される。しかし、本発明はこの構成もしくは、任意の特定の郵便物仕分けシステムまたはマシンに限定されるものではない。本発明は、Ｍ（Ｍ＞０）のインプットフィーダーおよびＮ（Ｎ＞１）のアウトプットを有する仕分けシステムと連動可能としてもよい。たとえば、一実施形態は４つのインプットフィーダーおよび少なくとも３６０のアウトプットを有することが考えられる。任意の従来の郵便物仕分けシステムが用いられてよい。
【００１７】
本発明のある実施形態によると、１５のアウトプットを有する郵便物仕分けシステムおよび、任意の郵便経路の２１以下である最大配達ポイント数で、ツーパス仕分け方法２００（図２参照）を用いて、同時に７つの異なる配達経路に対して、郵便物を配達ポイント順に仕分けすることが可能である。
【００１８】
ツーパス仕分け方法２００はステップ２０１で始まり、第１パス仕分けプラン１１０および第２パス仕分けプラン１１１が作成される。システム１００を通る郵便物の第１パスについては、第１パス仕分けプラン１１０は１４の「配達ポイントグループ」を特定する。配達ポイントグループは、その名が意味するように、配達ポイントのグループである。図３は第１パス仕分けプラン１１０によって特定される１４の配達ポイントグループを説明する。数学的に、Ｊ＜＝１４であるところの配達ポイントグループＪに含まれる一連の配達ポイント（「ＤＰｓ」）は、ＤＰｋ-ＲＴｉ（ＲＴｉはｉ番目の配達経路を意味する）であり、ｉ＝１、２、３、４、５、６、７であり、ｋ＝（０）Ｎ＋Ｊ、（１）Ｎ＋Ｊ、．．．、（Ｍ）Ｎ＋Ｊであり、Ｎは配達ポイントグループ数（この場合はＮ＝１４）であり、Ｍ＝［ｃｅｉｌｉｎｇ（ＭＡＸ／Ｎ）-１］であり、ＭＡＸは配達経路あたりの配達ポイントの最大数であり、この場合は２１である。したがって、たとえば配達ポイントグループ２（「ＤＰＧ２」）は、次のＤＰｓ：ＤＰ２-ＲＴｉおよびＤＰ１６-ＲＴｉ、ｉ＝１、２、３、４、５、６、７を含む。
【００１９】
有利には、仕分けプラン１１０はまた、１５番目の配達ポイントグループ（ＤＰＧ１５）を特定する。一実施形態において、ＤＰＧ１５はとりわけ、郵便物が配達されるべきではない一連の配達ポイントを特定する。たとえば、郵便経路（ＲＴ１）上の配達ポイント７（ＤＰ７）に住んでいる人が休暇中で、彼らが地元の郵便局に、彼らの留守の間、郵便物を保留しておくように伝えていたとすると、ＤＰＧ１５は、郵便物が一時的に（もしくは永久に）配達されるべきでないその他の配達ポイントと同じく、配達ポイントＤＰ７-ＲＴ１を含むであろう。
【００２０】
第２パスについては、第２パス仕分けプラン１１１が１５のアウトプットのうちの１４に、経路上の一連の配達ポイントを割り当てる。これは図４に説明される。たとえば、図
４に示されるように、経路１上のＤＰ１からＤＰ１４は、アウトプット１に割り当てられ、経路１上のＤＰ１５からＤＰ２１はアウトプット２に割り当てられる。同様に、経路２上のＤＰ１からＤＰ１４およびＤＰ１５からＤＰ２１は、アウトプット３および４に、それぞれ割り当てられ、経路３上のＤＰ１からＤＰ１４およびＤＰ１５からＤＰ２１はアウトプット５および６に、それぞれ割り当てられ、以下同様である。
【００２１】
ステップ２０２において、仕分けプラン１１０、１１１は、フラット仕分けシステム１００のコントロールシステム１１２にロードされる。ステップ２０４において、郵便物の束１５０は、インプットフィーダー１０１（１）および１０１（２）の両方を用いてシステム１００に送られる。束のうちのそれぞれの郵便物が、７つの配達経路のうちの１つにある配達ポイントに宛てられることが好ましい。
【００２２】
ステップ２０６において、コントローラ１１２は、第１パス仕分けプラン１１０にしたがって郵便物の束１５０を仕分けするよう、システム１００をコントロールする。すなわち、システム１００は、仕分けプラン１１０にしたがって、郵便物の束１５０を１５のより小さな束に仕分けするであろう。
【００２３】
したがって、１５のより小さな束のうちの１つ（「束-１５」または単に「Ｂ１５」と呼ぶ）は、配達されるべきではない全ての郵便物（たとえば、一時的または永久に保留状態にある郵便物）を含む。したがって、システム１００は、郵便物を受け取ったあと、その郵便物がＤＰＧ-１５に含まれる配達ポイント宛てであるかをチェックして確認し、そうであれば、その郵便物を束-１５に加える。すなわち、郵便物は、郵便物が配達されるべきではない配達ポイント宛てであれば、束-１５に加えられる。
【００２４】
システム１００および仕分けプラン１１０によって作成される、他の１４束の郵便物のそれぞれ（Ｂ１からＢ１４）は、配達ポイントグループ（ＤＰＧｓ）のうちの異なる１つに対応する。明瞭さのために、これを、束-Ｎ＜＝＞ＤＰＧＮと表し、これは、束-ＮがＮ番目の配達ポイントグループに対応することを意味する。束-Ｎ（「ＢＮ」）はＤＢＰＧＮに対応するので、ＢＮに含まれる全ての郵便物はＤＰＧＮ内の配達ポイント宛てである。具体例として、Ｂ１内の全ての郵便物は、ＤＰＧ１内の配達ポイント宛てである。図３を参照すると、ＤＰＧ１に含まれる配達ポイントは、ＤＰ１-ＲＴｉおよびＤＰ１５-ＲＴｉで、ｉ＝１、２、３、４、５、６、７であり、これは経路１から７のそれぞれに対する１番目と１５番目の配達ポイントである。
【００２５】
一実施形態において、システム１００は、７つの経路のそれぞれの各配達ポイントを、配達ポイントが属する配達ポイントグループにしたがって１４のアウトプットのうちの１つに割り当てることで、束Ｂ１からＢ１４を作成する。システム１００は、各配達ポイントグループを１４のアウトプットのうちの異なる１つに割り当てることで（たとえば、ＤＰＧ１はアウトプット１０２（１）に割り当てられ、ＤＰＧ２はアウトプット１０２（２）に割り当てられ、．．．、ＤＰＧ１４はアウトプット１０２（１４）に割り当てられる）、これを行う。このように、システム１００は、フラットを受け取り、フラットが宛てられる配達ポイントを決定したあと、フラットを自動的に、配達ポイントが割り当てられているところのアウトプット１０２に送ることができる。具体例として、システム１００が、特定のフラットが配達ポイントＤＰ１６-ＲＴ３（経路３上の１６番目の配達ポイント）に宛てられると決定したと仮定する。この場合、ＤＰ１６-ＲＴ３はＤＰＧ２の要素であり、ＤＰＧ２はアウトプット１０２（２）に割り当てられているため、フラットはアウトプット１０２（２）に送られるであろう。
【００２６】
束１５０を仕分けする時、アウトプットトレー１４０が「満杯」になることがあるだろう。アウトプットトレー１４０が満杯である時、アウトプットトレー１４０に関連付けら
れたアウトプット１０２には郵便物が送られるべきでない。結果的に、一実施形態において、システム１００が特定の郵便物が送られるべきアウトプットを決定し、そのアウトプットに関連付けられたアウトプットトレーが満杯であることを決定した場合、システム１００は、特定の郵便物をバッファリングするか、そうでなければ、アウトプットトレーが満杯でなくなる（たとえば、そのアウトプットのトレーが新しい空のトレーと交換される）まで保留するかであろう。
【００２７】
上記のような方法で郵便物を保留することは、システム１００の処理能力に悪影響を与えるため、好ましくない。したがって他の実施形態において、システム１００が配達ポイントグループ内の配達ポイント宛ての郵便物を送ろうとし、システムが、その配達ポイントグループが割り当てられたアウトプットが満杯であるか、さもなければ、機能していないと決定する時、コントローラ１１２は、配達ポイントグループを、現在使われていないアウトプットに動的に再割り当てするよう構成されてもよい。したがって、配達ポイントグループが再割り当てされることのできる利用可能なアウトプットがあるという条件下では、アウトプットが満杯になった時にシステムの処理能力に悪影響を与えることはない。
【００２８】
ステップ２０８において、束Ｂ１は、インプットフィーダー１０１の１つもしくは両方を用いて、システム１００に送られる。ステップ２１０において、コントローラ１１２は、第２パス仕分けプラン１１１にしたがって郵便物の束を仕分けするよう、システム１００をコントロールする。すなわち、システム１００は、（１）束から郵便物を受け取り、（２）郵便物を分析してこの郵便物が宛てられる配達ポイントを決定し、（３）この郵便物を、配達ポイントが割り当てられているところのアウトプットに送る。具体例として、システム１００が、配達ポイントＤＰ１５-ＲＴ５（すなわち、経路５上の１５番目の配達ポイント）に宛てられた郵便物を受け取ったと仮定する。この場合、図４に示されるようにＤＰ１５-ＲＴ５はアウトプット１０に割り当てられているため、郵便物はアウトプット１０に送られる。１以上のトレー１４０が各アウトプットに位置し、アウトプットに宛てられた郵便物を集めることが好ましい。
【００２９】
７つの経路のうちの任意の１つに対して集中郵便物がある場合、ステップ２１２が行われ、そうでなければ、処理はステップ２１４に進む。ある経路への集中郵便物とは、少なくともその経路上の全ての配達ポイントの７５％、もしくはその経路上の住宅地の配達ポイントの９０％をカバーする郵便物のことである。たとえば地元の店が広告を、１以上の経路の全ての住宅地配達ポイントに送りたいと考えるかもしれない。
【００３０】
ステップ２１２において、集中郵便物が意図されている各経路に対する、最大で２つの集中郵便物がシステム１００に送られ、システム１００は、各集中郵便物を適切なアウトプットに送る（経路ごとに最大で２つである理由は、我々の実施例において、各経路は図４に示されるように、最大で２つのアウトプット１０２に関連付けられているからである）。したがって、集中郵便物が７つのうちの３つの経路の配達ポイントに意図されている場合、最大で６つの郵便物がシステム１００に送られ、システム１００はその最大で６つの郵便物を適切なアウトプットに送る。たとえば、集中郵便物が経路ＲＴ１、ＲＴ３、ＲＴ５上の全ての配達ポイントに意図されている場合、ステップ２１２において６つの集中郵便物がシステム１００に送られ、６つの集中郵便物のそれぞれが、ＲＴ１、ＲＴ３、ＲＴ５に関連付けられたアウトプットに送られるであろう。より具体的には、この実施例において、１つの集中郵便物はＲＴ１に関連付けられたアウトプット１に送られ、他のものは同じくＲＴ１に関連付けられたアウトプット２に送られ、他のものはＲＴ３に関連付けられたアウトプット５に送られ、他のものは同じくＲＴ３に関連付けられたアウトプット６に送られ、他のものはＲＴ５に関連付けられたアウトプット９に送られ、最後のものは同じくＲＴ５に関連付けられたアウトプット１０に送られる。７つの経路のうち少なくとも１つに、複数の集中郵便物がある場合、ステップ２１２は繰り返されてよい。
【００３１】
ステップ２１４において、順番で次の束がシステム１００に送られる（次の束がない場合、処理はステップ２１６に進む）。たとえば、束-Ｘが処理された最後の束であった場合、束-（Ｘ＋１）が、順番で次の束であるため、これが処理するべき次の束である。我々の実施例において、束Ｂ１５はこの時はさらに仕分けされる必要がないため、束Ｂ１４が最後の束である。ステップ２１４のあと、コントロールはステップ２１０に戻る。
【００３２】
図５Ａから５Ｃは、１４のトレー１４０（１）から１４０（１４）の内容を説明する。各トレー１４０（Ｘ）は、束Ｂ１、Ｂ２、およびＢ１４が、ステップ２１０においてシステム１００によって処理されたあと、そして、もしあれば集中郵便物がステップ２１２において処理されたあと、アウトプット１０２（Ｘ）に送られた郵便物を受けるよう配置される。
【００３３】
図５Ａに示されるように、束Ｂ１および、もしあれば集中郵便物が処理された（すなわち、１度目のステップ２１０から２１２が行われた）あと、トレー１４０（１）は、配達ポイントＤＰ１-ＲＴ１に宛てられた全ての郵便物および０以上の集中郵便物を含み、トレー１４０（２）は、配達ポイントＤＰ１５-ＲＴ１に宛てられた全ての郵便物および０以上の集中郵便物を含み、トレー１４０（３）は、配達ポイントＤＰ１-ＲＴ２に宛てられた全ての郵便物および０以上の集中郵便物を含み、トレー１４０（４）は、配達ポイントＤＰ１５-ＲＴ２に宛てられた全ての郵便物および０以上の集中郵便物を含み、．．．、トレー（１４）は、配達ポイントＤＰ１５-ＲＴ７に宛てられた全ての郵便物および０以上の集中郵便物を含む。
【００３４】
図５Ｂに示されるように、２度目のステップ２１０から２１２が行われ、トレー１４０（１）は、配達ポイントＤＰ２-ＲＴ１に宛てられた全ての郵便物および０以上の追加の集中郵便物をさらに含み、トレー１４０（２）は、配達ポイントＤＰ１６-ＲＴ１に宛てられた全ての郵便物および０以上の追加の集中郵便物をさらに含み、トレー１４０（３）は、配達ポイントＤＰ２-ＲＴ２に宛てられた全ての郵便物および０以上の追加の集中郵便物をさらに含み、トレー１４０（４）は、配達ポイントＤＰ１６-ＲＴ２に宛てられた全ての郵便物および０以上の追加の集中郵便物をさらに含み、．．．、トレー１４０（１４）は、配達ポイントＤＰ１６-ＲＴ７に宛てられた全ての郵便物および０以上の追加の集中郵便物をさらに含む。
【００３５】
最後に、図５Ｃに示されるように、最後のステップ２１０-２１２が行われたあと、トレー１４０（１）は、配達ポイントＤＰ１-ＲＴ１からＤＰ１４-ＲＴ１に宛てられた全ての郵便物および各配達ポイントの上に配置される０以上の集中郵便物を含み、トレー１４０（２）は、配達ポイントＤＰ１５-ＲＴ１からＤＰ２１-ＲＴ１に宛てられた全ての郵便物および０以上の集中郵便物を含み、トレー１４０（３）は、配達ポイントＤＰ１-ＲＴ２からＤＰ１４-ＲＴ２に宛てられた全ての郵便物および０以上の集中郵便物を含み、トレー１４０（４）は、配達ポイントＤＰ１５-ＲＴ２からＤＰ２１-ＲＴ２に宛てられた全ての郵便物および０以上の集中郵便物を含み．．．、トレー１４０（１４）は、配達ポイントＤＰ１５-ＲＴ７からＤＰ２１-ＲＴ７に宛てられた全ての郵便物および０以上の集中郵便物を含む。
【００３６】
ＲＴ１上の配達ポイントが一時的に郵便物を保留している場合、上記で説明したように郵便物は束１５に回され、束１５は束１から１４と異なり、処理２００の間システム１００に送られて処理されることがないため、アウトプットトレーはその配達ポイント宛ての郵便物を含まないであろうことに留意すべきである。
【００３７】
要するに、図５Ａから５Ｄは、上で説明されたツーパス郵便物仕分け処理２００が、多
数の経路への郵便物を配達ポイント順に仕分けすることを説明する。このことは、郵便物配達者を、手動で配達ポイント順に郵便物を並べなければならないことから解放するため、その仕事を大いに容易にする。また、図５Ａから５Ｄは、通常の郵便物の束を処理したあとに集中郵便物を処理することにより、配達ポイント間の仕切りとして、集中郵便物を用いることができることを説明する。このことは、郵便物配達者が、１つの配達ポイントへの一連の郵便物がどこで終わり、次の配達ポイントへの他の一連の郵便物がどこで始まるかを識別するのに役立つ。
【００３８】
ステップ２１６（すなわち、パス２の終わり）において、残留パスが（必要であれば）行われる間、アウトプットトレー１４０はラベル付けされ、発送エリアに輸送され、そこで台に載せられ、適切な配達ユニットへ送られるよう準備される。
【００３９】
残留郵便物は、自動化された郵便物処理の、必然的な副産物である。残留郵便物は少なくとも以下のものを含む：郵便物の第１パス保留（すなわち我々の実施例において、ＤＰＧ１５に含まれる配達ポイントに宛てられた郵便物である）、第１パスからのスキーム外拒否、第２パスからのスキーム外拒否、および宛先が不明である郵便物である。
【００４０】
特定の区域に対する保留は、パス１仕分けプラン上の最小数のアウトプットビンを用いて、集団化される。この郵便物は、配達経路もしくは残留郵便物パス上のボックスセクションに効果的に仕分けされる。これは１つのパスのみを受けた郵便物であるので、この郵便物に対するパス２は、残留郵便物パスである。
【００４１】
第２パスからのスキーム外拒否もまた、残留郵便物パスの配達経路に仕分けされてよい。さらに、２度目の試みにおける読み取り速度の通常の増加のために、このパス上の予期される少量のＯＣＲ／ＢＣＲ／ＶＣＳ拒否郵便物を再処理することには利点があるであろう。基本的にこのシナリオにおいて、配達経路に仕分けされない唯一の残留郵便物は、パス１からのスキーム外拒否であり、これは、パス１、および最終的なＯＣＲ／ＢＣＲ／ＶＣＳ拒否の最後に、リダイレクトするその他の操作に送られるべきである。
【００４２】
残留郵便物の処理は、第２パスが完了すると直ちに行われてよいので、各配達者の残留郵便物はその経路の順番付けられた郵便物と共に輸送されてよいが、これは必要条件ではない。残留郵便物のうちのほとんどが唯一のパスのみを受けるだろうから、全ての郵便物の取り扱いおよび処理の時間は、郵便物がツーパス操作全体を介して配列されたとほぼ同じである。この郵便物を配達経路に手動で仕分けし、配達用に準備するのに要求されるオフィス内の仕事の減少は、残留パスに設定された仕事およびフロータイムを埋め合わせるにとどまらないはずである。
【００４３】
上記のように、第２パス中、第１パスで仕分けされた郵便物の束が、インプットライン１０２の１つもしくは両方を用いて、システム１００に送られる。インプットライン１０２の１つのみが用いられる場合、１つのインプットラインがアイドルであるため、システム１００はそのピーク効率では作動しない。しかし、第１パスで仕分けされた郵便物の束を処理するのに、インプットライン１０２の両方を同時に用いるのは、複雑もしくは困難であろう。それは、郵便物の束を保持するトレーが、バランスの取れた方法で複数のフィーダーに分配される必要があるからである。また、時期尚早にもしくは順番通りでなく郵便物が送られることや、一方のフィーダーに混雑が起こったときに起こりうる問題などを防ぐために、コントロールおよび安全装置が必要とされることが、この選択を魅力のないものとしている。
【００４４】
この問題を克服するある方法は、第１パスの仕分けプラン１１０を再設定して、システム１００を２つ以上の「仮想システム」に分割することであり、全ての経路に対して一組
のＮの配達ポイントグループを作成する代わりに、仕分けプランはＸ組のＮ／Ｘ配達ポイントグループを作成し、配達ポイントグループの各組は、異なる経路の組に関連付けられる。しかしこのアプローチの不利な点は、同時に同じだけの数を処理できないことである。しかし、システム効率の向上により、この不利な点を埋め合わせることができる。
【００４５】
明瞭さのため、２つの仮想マシンに分割され、一方は経路１および経路２の郵便物を仕分けするのに用いられ、もう一方は経路３および経路４の郵便物を仕分けするのに用いられる、フラット仕分けシステム１００に関して、「仮想マシン」の実施形態を説明する。しかし、当業者はシステム１００が２つより多くの仮想マシンに分割されてよいことを認識するであろう。
【００４６】
図６は、システム１００が２つの仮想マシンに分割されたときに用いられる、ツーパス仕分け方法６００を説明するフローチャートである。処理６００はステップ６０１で始まり、第１パスおよび第２パス仕分けプランが作成される。システム１００を通過する郵便物の第１パスについては、第１パス仕分けプランは、全体で１４の配達ポイントグループに対し、２組の７つの配達ポイントグループを特定する。図７は、第１パス仕分けプランによって特定された２組の７つの配達ポイントグループを説明する。
【００４７】
第１組の配達ポイントグループの、配達ポイントグループＪ（０＜Ｊ＜＝７）に含まれる一連の配達ポイント（「ＤＰｓ」）は：ＤＰｋ-ＲＴｉであり、ｉ＝１，２であり；ｋ＝（０）Ｎ＋Ｊ，（１）Ｎ＋Ｊ，．．．，（Ｍ）Ｎ＋Ｊであり；Ｎは組の中のグループ数（この場合、Ｎ＝７）であり；Ｍ＝［ｃｅｉｌｉｎｇ（ＭＡＸ／Ｎ）-１］であり、ＭＡＸは配達経路あたりの配達ポイントの最大数であり、この場合は２１である。したがって、たとえば、ＤＰＧｓの第１組の配達ポイントグループ２（すなわち、「Ｓｅｔ１-ＤＰＧ２」）は、次のＤＰＳ：ＤＰ２−ＲＴ１、ＤＰ９−ＲＴ１、ＤＰ１６−ＲＴ１、ＤＰ２−ＲＴ２、ＤＰ９−ＲＴ２、およびＤＰ１６-ＲＴ２を含む。
【００４８】
同様に、第２組の配達ポイントグループの配達ポイントグループＪ（０＜Ｊ＜＝７）に含まれる一連の配達ポイントは：ＤＰｋ-ＲＴｊであり、ｊ＝３，４である。したがって、たとえば、ＤＰＧｓの第２組の配達ポイントグループ２（すなわち、「Ｓｅｔ２-ＤＰＧ２」）は、次のＤＰｓ：ＤＰ２−ＲＴ３、ＤＰ９−ＲＴ３、ＤＰ１６−ＲＴ３、ＤＰ２−ＲＴ４、ＤＰ９−ＲＴ４、およびＤＰ１６−ＲＴ４を含む。
【００４９】
図示されるように、第１組のＤＰＧｓの中のＤＰＧｓの任意の１つの中の各配達ポイントは、第１経路上もしくは第２経路上のどちらかにあり、第２組のＤＰＧｓの中の任意の１つのＤＰＧｓの中の各配達ポイントは、第３経路上もしくは第４経路上のどちらかにある。すなわち、第１組のＤＰＧｓ７１０は、経路１および経路２に関連付けられており、第２組のＤＰＧｓ７２０は、経路３および経路４に関連付けられている。
【００５０】
有利には、仕分けプランはまた、１５番目の配達ポイントグループ（ＤＰＧ１５）を特定できる。上記のように、ＤＰＧ１５はとりわけ、郵便物が配達されるべきでない一連の配達ポイントを特定することができる。
【００５１】
第２パスについて、第２パス仕分けプラン１１１は、１５のアウトプットのうちの１２に、所与の経路の一連の配達ポイントを割り当てる。このことは図８に示されている。たとえば、図８に示されるように、経路１上のＤＰ１-ＤＰ７、ＤＰ８-ＤＰ１４、およびＤＰ１５-ＤＰ２１は、アウトプット１、２、および３にそれぞれ割り当てられ、経路２上のＤＰ１-ＤＰ７、ＤＰ８-ＤＰ１４、ＤＰ１５-ＤＰ２１は、アウトプット４、５、および６にそれぞれ割り当てられ、経路３上のＤＰ１-ＤＰ７、ＤＰ８-ＤＰ１４、ＤＰ１５-ＤＰ２１は、アウトプット８、９、および１０にそれぞれ割り当てられ、経路４上のＤＰ
１-ＤＰ７、ＤＰ８-ＤＰ１４、ＤＰ１５-ＤＰ２１は、アウトプット１１、１２、および１３にそれぞれ割り当てられる。
【００５２】
ステップ６０２において、第１パスおよび第２パスの仕分けプランは、コントロールシステム１１２にロードされる。ステップ６０４において、郵便物の束１５０は、インプットフィーダー１０１（１）および１０１（２）の両方を用いてシステム１００に送られる。束の中の各郵便物が、４つの経路１から４のうちの１つの、配達ポイントに宛てられることが望ましい。
【００５３】
ステップ６０６において、コントローラ１１２は、第１パス仕分けプランにしたがって、郵便物の束１５０を仕分けするよう、システム１００をコントロールする。つまりシステム１００は、第１パス仕分けプランにしたがって、郵便物の束１５０を１５の小さな束に仕分けするであろう。より具体的には、郵便物の束１５０は、第１組の７つの郵便物の束-第１組のＤＰＧｓに対応する-と、第２組の７つの郵便物の束-第２組のＤＰＧｓに対応する-と、ＤＰＧ１５に割り当てられた配達ポイントに宛てられた全ての郵便物を含む、郵便物の１５番目の束とに、仕分けされる。
【００５４】
第１組からの７つの郵便物の束のそれぞれは、第１組のＤＰＧｓの中の異なる１つのＤＰＧｓに対応する。明瞭さのために、第１組の束（「ＢＮ-Ｓｅｔ１」）からの束Ｎ（０＜Ｎ＜＝７）が、第１組のＤＰＧｓからのＮ番目の配達ポイントグループ（ＤＰＧＮ）（「ＤＰＧＮ-Ｓｅｔ１」）に対応すると仮定する。ＢＮ-Ｓｅｔ１はＤＢＰＧＮ-Ｓｅｔ１に対応するため、ＢＮ-Ｓｅｔ１に含まれる全ての郵便物は、ＤＰＧＮ-Ｓｅｔ１内の配達ポイントに宛てられる。具体例として、Ｂ１-Ｓｅｔ１内の全ての郵便物は、ＤＰＧ１-Ｓｅｔ１内の配達ポイントに宛てられる。図７を参照して、ＤＰＧ１-Ｓｅｔ１に含まれる配達ポイントは：ＤＰ１-ＲＴ１、ＤＰ８-ＲＴ-１、ＤＰ１５-ＲＴ１、ＤＰ１-ＲＴ２、ＤＰ８-ＲＴ２およびＤＰ１５-ＲＴ２である。
【００５５】
同様に、第２組からの７つの郵便物の束のそれぞれは、第２組のＤＰＧｓの中の異なる１つのＤＰＧｓに対応する。明瞭さのために、第２組の束（「ＢＮ-Ｓｅｔ２」）からの束Ｎ（０＜Ｎ＜＝７）が、第２組のＤＰＧｓからのＮ番目の配達ポイントグループ（ＤＰＧＮ）（「ＤＰＧＮ-Ｓｅｔ２」）に対応すると仮定する。ＢＮ-Ｓｅｔ２がＤＢＰＧＮ-Ｓｅｔ２に対応するため、ＢＮ-Ｓｅｔ２に含まれる全ての郵便物はＤＰＧＮ-Ｓｅｔ２内の配達ポイントに宛てられる。具体例として、Ｂ１-Ｓｅｔ２内の各郵便物は、ＤＰＧ１-Ｓｅｔ２内の配達ポイントに宛てられる。図７を参照して、ＤＰＧ１-Ｓｅｔ１に含まれる配達ポイントは：ＤＰ１-ＲＴ３、ＤＰ８-ＲＴ３、ＤＰ１５-ＲＴ３、ＤＰ１-ＲＴ４、ＤＰ８-ＲＴ４、およびＤＰ１５-ＲＴ４である。
【００５６】
一実施形態において、システム１００は、処理２００を参照して上記に説明したのと同じ方法で、４つの経路のそれぞれの各配達ポイントを、配達ポイントが属するところの配達ポイントグループにしたがって１４のアウトプットの１つに割り当てることで、Ｂ１-Ｓｅｔ１、Ｂ１-Ｓｅｔ２、Ｂ２-Ｓｅｔ１、Ｂ２-Ｓｅｔ２．．．などの束を作成する。ステップ６０６のあと、処理６００は並行して、ステップ６０８および６１２に進む。
【００５７】
ステップ６０８において、束Ｂ１-Ｓｅｔ１は、フィーダー１０１（１）を用いて、システム１００に送られる。ステップ６０９において、システム１００は、第２パス仕分けプランにしたがって、フィーダー１０１（１）にインプットされた郵便物の束を仕分けする。経路１もしくは２に対して集中郵便物がある場合、処理はステップ６０９からステップ６１０に進み、そうでなければ、処理はステップ６０９からステップ６１１に進む。
【００５８】
ステップ６１０において、集中郵便物が意図されている第１組の経路（つまり、経路１
および経路２）の各経路に対する集中郵便物のうち３つがシステム１００に送られ、システム１００は、集中郵便物のそれぞれを、適切なアウトプットに送る（経路につき３つがシステム１００に送られる理由は、図８に示すように我々の実施例において、各経路は最大で３つのアウトプット１０２に関連付けられているからである）。したがって、集中郵便物が経路１および経路２の両方に意図されている場合、６つの郵便物がシステム１００に送られ、システムは６つの郵便物のそれぞれを、適切なアウトプットに送る。複数の集中郵便物が、２つの経路のうちの少なくとも１つにある場合、ステップ６１０は繰り返されてよい。
【００５９】
ステップ６１１において、第１組の束からの、順番で次の束が、システム１００に送られる（次の束がない場合、処理は終了する）。たとえば、ＢＸ-Ｓｅｔ１が最後に処理された束であった場合、Ｂ（Ｘ＋１）-Ｓｅｔ１が順番で次の束であるため、これが処理すべき次の束である。ステップ６１１のあと、コントロールはステップ６０９に戻る。
【００６０】
ステップ６１２において、フィーダー１０１（２）を用いて、束Ｂ１-Ｓｅｔ２がシステム１００に送られる。ステップ６１３において、システム１００は、第２パス仕分けプランにしたがって、フィーダー１０１（２）にインプットされた郵便物の束を仕分けする。経路３もしくは４に対して集中郵便物がある場合、処理はステップ６１３からステップ６１４に進み、そうでなければ、処理はステップ６１３からステップ６１５に進む。
【００６１】
ステップ６１４において、集中郵便物が意図される第２組の経路（すなわち、経路３および経路４）の各経路に対して最大で３つの集中郵便物が、システム１００に送られ、システム１００は集中郵便物のそれぞれを、適切なアウトプットに送る。複数の集中郵便物が、２つの経路のうちの少なくとも１つにある場合、ステップ６１４は繰り返される。
【００６２】
ステップ６１５において、第２組の束からの順番で次の束が、システム１００に送られる（次の束がない場合、処理は終了する）。たとえば、ＢＸ-Ｓｅｔ２が処理された最後の束である場合、Ｂ（Ｘ＋１）-Ｓｅｔ２が順番で次の束であるため、これが処理されるべき次の束である。ステップ６１５のあとで、コントロールはステップ６１３に戻る。
【００６３】
図Ａに示されるフローチャートに表示されるように、ステップ６０８-Ａ１１がステップ６１２-Ａ１５と並行して行われることが好ましい。３つのステップを並行して行うことにより、システムの処理量は大幅に増加する。
【００６４】
図９Ａから９Ｃは、１４のトレー１４０（１）から１４０（１４）の内容を説明し、各トレー１４０（Ｘ）は、束Ｂ１-Ｓｅｔｓ１および２、Ｂ２-Ｓｅｔｓ１および２、およびＢ７-Ｓｅｔｓ１および２が仕分けされたあとに、アウトプット１０２（Ｘ）に送られる郵便物を受けるように配置される。図９Ａに示されるように、束Ｂ１-Ｓｅｔｓ１および２、および、もしあれば集中郵便物が処理されたあと（つまり、１度目のステップ２１０から２１２が行われたあと）、トレー１４０（１）は配達ポイントＤＰ１-ＲＴ１に宛てられた全ての郵便物および０以上の集中郵便物を含み、トレー１４０（２）は配達ポイントＤＰ８-ＲＴ１に宛てられた全ての郵便物および０以上の集中郵便物を含み、トレー１４０（３）は配達ポイントＤＰ１５-ＲＴ１に宛てられた全ての郵便物および０以上の集中郵便物を含み、トレー１４０（４）は配達ポイントＤＰ１-ＲＴ２に宛てられた全ての郵便物および０以上の集中郵便物を含み、．．．、トレー１４０（１３）は配達ポイントＤＰ１５-ＲＴ４に宛てられた全ての郵便物および０以上の集中郵便物を含む。
【００６５】
図９Ｂに示すように、束Ｂ２-Ｓｅｔｓ１および２、および、もしあれば集中郵便物が仕分けされたあと、トレー１４０（１）は配達ポイントＤＰ２-ＲＴ１に宛てられた全ての郵便物および０以上の追加の集中郵便物をさらに含み、トレー１４０（２）は配達ポイ
ントＤＰ９-ＲＴ１に宛てられた全ての郵便物および０以上の追加の集中郵便物をさらに含み、トレー１４０（３）は配達ポイントＤＰ１６-ＲＴ１に宛てられた全ての郵便物および０以上の追加の集中郵便物をさらに含み、トレー１４０（４）は配達ポイントＤＰ２-ＲＴ２に宛てられた全ての郵便物および０以上の追加の集中郵便物をさらに含み、．．．、トレー１４０（１３）は配達ポイントＤＰ１６-ＲＴ４に宛てられた全ての郵便物および０以上の追加の集中郵便物をさらに含む。
【００６６】
最後に、図９Ｃに示すように、束Ｂ７-Ｓｅｔｓ１および２、および、もしあれば集中郵便物が仕分けされたあと、トレー１４０（１）は配達ポイントＤＰ１-ＲＴ１からＤＰ７-ＲＴ１に宛てられた全ての郵便物および各配達ポイントの上（もしくは下）に配置された０以上の集中郵便物を含み、トレー１４０（２）は配達ポイントＤＰ８-ＲＴ１からＤＰ１４-ＲＴ１に宛てられた全ての郵便物および０以上の集中郵便物を含み、トレー１４０（３）は配達ポイントＤＰ１５-ＲＴ１からＤＰ２１-ＲＴ１に宛てられた全ての郵便物および０以上の集中郵便物を含み、トレー１４０（４）は配達ポイントＤＰ１-ＲＴ２からＤＰ７-ＲＴ２に宛てられた全ての郵便物および０以上の集中郵便物を含み、．．．、トレー１４０（１３）は配達ポイントＤＰ１５-ＲＴ４からＤＰ２１-ＲＴ４に宛てられた全ての郵便物および０以上の集中郵便物を含む。図９Ｃに示されるように、本発明は郵便物の４つの経路を、同時に配達ポイント順に仕分けする。
【００６７】
ここに説明された処理は一連のステップを説明したが、そのように示されない限りは、ステップがこの説明された順番に行われる必要はない。
【００６８】
さらに、本発明の多様な実施形態／変形が上に説明されたが、これらは説明を目的として示されただけであり、限定を目的とするものではないことは言うまでもない。したがって、本発明の幅および範囲は、上記の例示的な実施形態のどれにも限定されるべきではなく、次の請求の範囲およびその同等物にしたがってのみ定義されるべきである。
【図面の簡単な説明】
【００６９】
【図１】フラット仕分けシステムの一実施例の機能ブロック図である。
【図２】本発明の一実施形態にしたがった処理を説明するフローチャートである。
【図３】本発明の一実施形態にしたがった第１パス仕分けプランを説明する表である。
【図４】本発明の一実施形態にしたがった第２パス仕分けプランを説明する表である。
【図５Ａ】図５Ａは、郵便物の配達順の順序付けを説明する図である。
【図５Ｂ】図５Ｂは、郵便物の配達順の順序付けを説明する図である。
【図５Ｃ】図５Ｃは、郵便物の配達順の順序付けを説明する図である。
【図６】本発明の他の実施形態にしたがった処理を説明するフローチャートである。
【図７】本発明の他の実施形態にしたがった第１パス仕分けプランを説明する表である。
【図８】本発明の他の実施形態にしたがった第２パス仕分けプランを説明する表である。
【図９Ａ】図９Ａは、郵便物の配達順の順序付けを説明する。
【図９Ｂ】図９Ｂは、郵便物の配達順の順序付けを説明する。
【図９Ｃ】図９Ｃは、郵便物の配達順の順序付けを説明する。
【図１】
2007511366.tif 000003
【図２】
2007511366.tif 000004
【図３】
2007511366.tif 000005
【図４】
2007511366.tif 000006
【図５Ａ】
2007511366.tif 000007
【図５Ｂ】
2007511366.tif 000008
【図５Ｃ】
2007511366.tif 000009
【図６】
2007511366.tif 000010
【図７】
2007511366.tif 000011
【図８】
2007511366.tif 000012
【図９Ａ】
2007511366.tif 000013
【図９Ｂ】
2007511366.tif 000014
【図９Ｃ】
2007511366.tif 000015
【国際調査報告】
2007511366.tif 000016
2007511366.tif 000017